(57)【要約】【課題】封止部材を内側ガイドレールに取り付けるようにして余分な組付け作業を省き組付作業の簡素化が図れると共に不正行為を確実に防止できる遊技機を提供する。【解決手段】遊技盤２が配設される内枠３の前面３ａに透明板保持枠４を開閉自在に装着してなる遊技機Ｐであって、遊技盤２の前面に合成樹脂製の内側ガイドレール１１を敷設し、内側ガイドレール１１の前端面にその長手方向に沿って収納溝３４を設け、収納溝３４内に透明板保持枠４を閉めた際に該透明板保持枠４に装着された透明板２０の後面２０ａに圧接して弾性変形する封止部材３５を挿通し、封止部材３５は収納溝３４から前方へ突出しかつ長手方向に対して直交する断面が前方へ膨出する半円形状に成形された弾性部３６ａと該収納溝３４内に嵌る取付部３６ｂとからなる。【選択図】図６
2008068023.tif 000002
【特許請求の範囲】
【請求項１】
遊技盤が配設される内枠の前面に透明板保持枠を開閉自在に装着してなる遊技機であって、
前記遊技盤の前面に合成樹脂製の内側ガイドレールを敷設し、前記内側ガイドレールの前端面にその長手方向に沿って収納溝を設け、前記収納溝内に前記透明板保持枠を閉めた際に該透明板保持枠に装着された透明板の後面に圧接して弾性変形する封止部材を挿通し、前記封止部材は前記収納溝から前方へ突出しかつ長手方向に対して直交する断面が前方へ膨出する半円形状に成形された弾性部と該収納溝内に嵌る取付部とからなることを特徴とする遊技機。
【請求項２】
前記内側ガイドレールの収納溝内における両側面に一対の押え片を突設すると共に該収納溝内の長手方向に沿って前記押え片よりも所定の距離深く位置する受止板を張設し、前記封止部材の取付部は前記押え片と前記受止板との間の空間に挿通される逆Ｔ字状に成形され、前記透明板保持枠が閉まって前記弾性部が弾性変形することにより受けた力を受止板によって受け止めるようにした請求項１記載の遊技機。
【発明の詳細な説明】
【技術分野】
【０００１】
本発明は、内枠に配設される遊技盤と内枠の前面に遊技盤を覆うようにして装着される透明板保持枠との間の隙間を介してその下側から遊技盤面にピアノ線等の不正具を這わせて行われる不正行為を防止するようにした遊技機に関するものである。
【背景技術】
【０００２】
従来、遊技機の一種であってこの種の不正を防止するようにしたパチンコ遊技機として次に説明するようなものが知られている。すなわち、このパチンコ遊技機は、遊技盤の前面に内側ガイドレールの下方に位置して円弧状のレール飾りを設け、該レール飾りの前面側に不正行為を防止するための封止部材が取り付けられている。更に詳しくは、レール飾りは、前端面を開放する収納溝が長手方向に沿って形成され、該収納溝内に貫通孔が形成される。一方、封止部材は、長手方向に対して直角な断面がほぼＹ字形状に形成され、後方へ突出する突起部を前記収納溝内の貫通孔に嵌合して取り付けられる。そして、透明板保持枠を閉めた際に、封止部材のＹ字形状の部分の下部が押圧され、上部が前面側にやや押し出される。これにより、封止部材の上部および下部が透明板保持枠に装着された透明板の後面に圧接するようになっている（例えば、特許文献１参照。）。
【０００３】
【特許文献１】特開２００３−２０５１５１号公報（第４−５頁段落００３７−００４９、図４）
【発明の開示】
【発明が解決しようとする課題】
【０００４】
前記特許文献１のパチンコ遊技機にあっては、内側ガイドレールの下方に封止部材を取り付けるためのレール飾りを別途設ける必要性があるので、余分な取付作業をしなければならず、組付作業の簡略化が図れないという課題がある。また、封止部材はほぼＹ字形状に成形され、ふらつくから安定性に欠けるばかりか、透明板の後面に圧接する部分が「く」字状になっており、透明板保持枠を閉じた際に透明板との接触面積が少なく、仮に、封止部材が反ったりしていると透明板と封止部材との間に無用な隙間ができ、不正行為を防止するという本来の目的が達成できなくなる課題もある。
【０００５】
そこで、本発明は上記課題を解決すべくなされたもので、封止部材を内側ガイドレールに取り付けるようにして余分な組付け作業を省き組付作業の簡素化が図れると共に不正行為を確実に防止できる遊技機を提供することを目的とするものである。
【課題を解決するための手段】
【０００６】
かかる目的を達成するため本発明に係る遊技機は、遊技盤が配設される内枠の前面に透明板保持枠を開閉自在に装着してなる遊技機であって、前記遊技盤の前面に合成樹脂製の内側ガイドレールを敷設し、前記内側ガイドレールの前端面にその長手方向に沿って収納溝を設け、前記収納溝内に前記透明板保持枠を閉めた際に該透明板保持枠に装着された透明板の後面に圧接して弾性変形する封止部材を挿通し、前記封止部材は前記収納溝から前方へ突出しかつ長手方向に対して直交する断面が前方へ膨出する半円形状に成形された弾性部と該収納溝内に嵌る取付部とからなることを特徴とする。
【０００７】
また、この際、前記内側ガイドレールの収納溝内における両側面に一対の押え片を突設すると共に該収納溝内の長手方向に沿って前記押え片よりも所定の距離深く位置する受止板を張設し、前記封止部材の取付部は前記押え片と前記受止板との間の空間に挿通される逆Ｔ字状に成形され、前記透明板保持枠が閉まって前記弾性部が弾性変形することにより受けた力を受止板によって受け止めるようにすることが好ましい。
【発明の効果】
【０００８】
本発明に係る遊技機は、内側ガイドレールの前端面にその長手方向に沿って収納溝を設け、該収納溝内に透明板保持枠を閉めた際に該透明板保持枠に装着された透明板の後面に圧接して弾性変形する封止部材を嵌合してなるので、従来のように封止部材を取り付けるために専用のレール飾りを設ける必要性がなく、取付作業の簡素化が図られるという効果が有る。また、封止部材の弾性部はその断面形状が半円形状をなすことから、透明板保持枠を閉めたとき安定するばかりかその透明板の後面に接触する密着面積が広くなり、透明板の後面との隙間が完全に塞がれることになり、確実に不正防止が図られるという効果が有る。
【０００９】
また、封止部材は、取付部が逆Ｔ字状に成形され、該取付部を収納溝内の押え片と受止板との間の空間に挿通し、透明板保持枠が閉まって弾性部が弾性変形することにより受けた力を受止板によって受け止めるようにしているので、封止部材が前後方向にほとんど動かず、極めて安定し、弾性部の透明板の後面に対する密着性も高められ、不正防止効果が向上する。
【発明を実施するための最良の形態】
【００１０】
以下、本発明に係る遊技機の実施の形態を図面に基づき説明する。なお、遊技機には、例えば、パチンコ遊技機、アレンジボール機、雀球遊技機等の遊技機に適用できるが、本発明にあっては、その一例としてパチンコ遊技機について説明する。図１は本発明に係るパチンコ遊技機の正面図、図２は同透明板保持枠を開いた状態の斜視図である。１は木製からなる縦長長方形状の外枠であり、該外枠１の前面に遊技盤２を配設した内枠３が開閉自在に装着される。内枠３の前面には、前記遊技盤２の前面を覆う透明板保持枠４がその一側の軸支部５を中心として開閉自在に装着される。
【００１１】
また、その下方に前面板６が同じく開閉自在に装着される。該前面板６の前面には、発射レール（図示せず。）の打球発射部（図示せず。）に供給する遊技球を貯留するための上部の球受皿７とその下方に位置して該上部の球受皿７から零れる遊技球を貯留するための下部の球受皿８が設けられている。この場合、上・下部の球受皿７，８は、形状的に一体に成形されデザイン性を高めている。前面板６の一側には灰皿９が設けられている。該前面板６の他側にはその下部角部に切欠部６ａが設けられ、該切欠部６ａに対応する内枠３の前面に打球としての遊技球の打球力を調整するための打球力調整ハンドル１０が取着されている。
【００１２】
前記遊技盤２の前面に、該遊技盤２の前面に取着される内側ガイドレール１１と、内枠３に開設され遊技盤２の前面が臨む開口１２の内周縁に取着された外側ガイドレール１３とにより囲われるようにして遊技部２ａが形成される。該遊技部２ａには、その中央部に位置して数字、図柄等の情報を変動表示する表示部１４ａを備えた可変表示装置１４、その下方に位置して遊技球の入賞により前記情報を変動させる始動入賞口１５が装着される。また、その下方に、前記可変表示装置１４の表示部１４ａの情報が特定の表示（例えば、「７７７」）に揃ったとき、一定の条件の下で一度に多くの賞球としての遊技球が得られる入賞装置１６が装着されている。
【００１３】
透明板保持枠４は、合成樹脂材から成形され、略方形板状の保持枠本体１７に遊技盤２の遊技部２ａが臨む略円形状の透口１８が開設され、保持枠本体１７の後側に透口１８を塞ぐ透明板ユニット１９が取着される。該透明板ユニット１９は、前後２枚の透明板２０，２０を有し、これらが一体化して成形される。透明板２０は、合成樹脂板またはガラス板のいずれであっても良い。保持枠本体１７の外周縁には、後方へ屈曲する折り返し片２１が設けられ強度を高めるようにしている。
【００１４】
図３、図４に示すように内枠３の前面３ａの上縁部と一側縁部とに沿ってそれぞれ凹溝２２ａ，２２ｂが連続して設けられる。これら凹溝２２ａ，２２ｂは同じ形状を有するので、便宜上、一側縁部に沿って設けられた凹溝２２ｂについて説明する。凹溝２２ｂは、後記する防犯部材２５の基体部材２７が嵌入し得る溝幅を有し、長手方向に対して直交する断面が矩形状に成形され、図４に示すように両端部の底面２３に該底面２３とほぼ平行でかつ互いに対向して向き合う係合突起２４ａを有する係合部２４が突設されている。各係合突起２４ａは、防犯部材２５の両端部の挿入部２６ａに挿入されることになる。
【００１５】
前記凹溝２２ａ，２２ｂに嵌合される防犯部材２５は、内枠３と透明板保持枠４との間であって上方または側方からピアノ線等の不正具を遊技盤２面に這わせて行われる不正行為を防止しようとするものである。防犯部材２５は、図５に示すように軟質の合成樹脂材からなる変形部材２６と硬質の合成樹脂材からなる基体部材２７とを組み合わせて構成される。例えば、軟質の合成樹脂材として軟質の塩化ビニル樹脂、硬質の合成樹脂材として硬質の塩化ビニル樹脂が有り、いずれも押し出し成型により効率良く成型される。ただ、これら塩化ビニルに限定されるものではなく他の軟・硬質の合成樹脂であっても良く、更には、軟・硬質のゴムであっても良い。
【００１６】
変形部材２６は、長細状に成形され長手方向に対して直交する断面が半円形状をなすと共に両端部が挿入部２６ａとして開口し中空状に成形される弾性部２８ａと、その下面に同じく長手方向に沿って一体に設けられる断面「逆Ｔ」字状の取付部２８ｂとからなる。一方、基体部材２７も長細状に成形され、長手方向に対して直交する断面が「Ｃ」型をなすと共に両端面が開口し中空状に成形されている。そして、前記基体部材２７の一端の開口から該基体部材２７の内部に取付部２８ｂを挿通する。これにより、基体部材２７の一側のスリット２９から取付部２８ｂの一部が外側へ突出し、該基体部材２７の一側に変形部材２６の弾性部２８ａが配置されることになる。
【００１７】
防犯部材２５はこのようにして構成され、各凹溝２２ａ，２２ｂの前側に基体部材２７が後側に位置するようにして配置し、各凹溝２２ａ，２２ｂに防犯部材２５の基体部材２７を嵌合する。この際、図４に示すように一方の端の弾性部２８ａの挿入部２６ａに一方の端の係合突起２４ａを挿入し、この状態で、防犯部材２５の中央部を前方へ湾曲させつつ他方の端の弾性部２８ａの挿入部２６ａに他方の端の係合突起２４ａを挿入する。そして、防犯部材２５を離す。これにより、各凹溝２２ａ，２２ｂ内に防犯部材２５，２５が嵌合する。
【００１８】
この状態では、防犯部材２５の弾性部２８ａが各凹溝２２ａ，２２ｂの前面より前方へ突出して位置しており、その断面円弧面が前方を向く。そして、図８に示すように内枠３の前面３ａに透明板保持枠４を閉めた際に、透明板保持枠４の後面４ａが変形部材２６の弾性部２８ａに圧接し該弾性部２８ａを押し潰して変形させる。この場合、弾性部２８ａは断面が半円形状であって環状をなすので、その分必要な高さが保持でき大きく変化し得る。よって、弾力性に富むばかりか、クッション性にも優れる。これにより、透明板保持枠４の裏面４ａに弾性部２８ａが密着することになってその間に無用な隙間がなくなり、仮に、内枠３と透明板保持枠４との間からピアノ線等の不正具を遊技盤２面に這わそうとしても、その先端が弾性部２８ａに当接してその動きが阻止される。これにより不正防止が阻止できる。
【００１９】
また、透明板保持枠４を開けたときは、図９に示すように弾性部２８ａがその押圧力から開放され、元の状態に復元する。このような動作は内枠３の前面３ａの上縁部に設けられる凹溝２２ｂに嵌合した防犯部材２５についても同様である。弾性部２８ａ，２８ｂは、断面が半円形状に成形されているので、弾発性に優れ同時にクッション性に優れる。よって、内枠３に透明板保持枠４を閉めた場合、各防犯部材２５の弾性部２８ａがクッションの働きをし、衝撃を受けることなく透明板保持枠４を閉めることができる。よって、例えば遊技中にあっては衝撃により上・下部の球受皿７，８から貯留される遊技球が零れ落ちるのを防止できる。
【００２０】
このように、各凹溝２２ａ，２２ｂ内の係合突起２４ａ，２４ａを防犯部材２５の両端部の挿入部２６ａ，２６ａに挿入するのみで防犯部材２５が取り付けられ、その取付作業に釘またはビス止め作業が必要ないことから、それら作業が簡単となる。また、防犯部材２５は着脱自在に設けられていることから、防犯部材２５がへたりまたは破損して交換する必要性が生じた場合も、新しい防犯部材２５と容易に交換できることになり、メンテナンスが容易に行える。
【００２１】
この実施の形態にあっては、内枠３の前面３ａに各凹溝２２ａ，２２ｂを設けると共に各凹溝２２ａ，２２ｂに透明板保持枠４の後面４ａに圧接し得る防犯部材２５を嵌合するようにした。これに対し、透明板保持枠４の後面４ａに各凹溝２２ａ，２２ｂを設けると共に各凹溝２２ａ，２２ｂに内枠３の前面３ａに圧接し得る防犯部材２５を嵌合するようにしても良い。
【００２２】
本発明にあっては、前記遊技盤２面に敷設された内側ガイドレール１１が、硬質の合成樹脂材により成形されている。すなわち、図６、図７に示すように内側ガイドレール１１は、遊技部２ａを囲うような大きさの円弧状に成形され、遊技球を受ける上側板３０ａと該上側板３０ａの下側に所定の間隔離して平行に配置される下側板３０ｂとからなる二重構造になっており、前端面は開放している。上側板３０ａと下側板３０ｂとの間に収納溝３４が成形され、該収納溝３４内であって上側板３０ａの下面と下側板３０ｂの上面に、その前端縁に沿って一定間隔離しそれぞれ押え片３１，３１が突設され、収納溝３４内であり長手方向に沿って点在する一対の押え片３１，３１間に押え片３１，３１よりも所定の距離深く位置する受止板３２が複数張設される。
【００２３】
そして、押え片３１，３１と受止板３２との間の空間３３に封止部材３５が挿通される。この封止部材３５は、例えば、透明板保持枠４の下縁と前面板６の上縁との間の隙間から遊技盤２面にピアノ線等の不正具を這わせて行われる不正行為を防止するためのものである。この封止部材３５は前記防犯部材２５とは構成が少し異なり、しかも、大きさも一回り小さく形成される。封止部材３５は前記変形部材２６と相似形をなし、それよりも少し小さく成形される。すなわち、封止部材３５は、軟質の合成樹脂材により長細状に成形され、長手方向に対して直交する断面が半円形状をなすと共に両端部が開口し中空状に成形される弾性部３６ａと、その下面に同じく長手方向に沿って一体に設けられる断面「逆Ｔ」字状の取付部３６ｂとからなる。
【００２４】
このような構成からなる封止部材３５は、内側ガイドレール１１の前端側に沿って配置される共に、その一方から各一対の押え片３１，３１と各受止板３２との間の空間３３に封止部材３５の取付部３６ｂを挿通する。これにより、内側ガイドレール１１の前端面に沿って弾性部３６ａが前方へ突出するようにして封止部材３５が取り付けられる。このように、押え片３１，３１と受止板３２との間の空間３３に取付部３６ｂを挿通することにより封止部材３５が取り付けられるので、その取付作業が容易である。
【００２５】
図６において、３７は内側ガイドレール１１の長手方向に沿った一端に設けられ遊技部２ａに打ち込まれる遊技球が打球発射部側へ戻らないように阻止する戻り球防止部材である。また、３８は内側ガイドレール１１の最下部の内側に設けられ遊技部２ａに打ち込まれた遊技球の内、入賞球となり得なかった遊技球所謂アウト球を排出するためのアウト球口である。
【００２６】
そこで、封止部材３５の弾性部３６ａが内側ガイドレール１１の前端面から前方へ突出して位置しており、しかも、その断面円弧面が前方を向く。そして、図８に示したように内枠３の前面３ａに透明板保持枠４を閉めた際に、透明板ユニット１９の透明板２０の後面２０ａが弾性部３６ａに圧接し該弾性部３６ａを押し潰して変形させる。この場合、弾性部３６ａは断面が半円形状であって環状をなすので、その分必要な高さが保持でき大きく変化し得る。よって、弾力性に富むばかりか、クッション性にも優れる。これにより、透明板２０の後面２０ａに弾性部３６ａが密着し密着面積が広くなってその間に無用な隙間がなくなり、例えば、透明板保持枠４の下縁と前面板６の上縁との間からピアノ線等の不正具を遊技盤２面に這わそうとしても、その先端が弾性部３６ａに当接してその動きが確実に阻止される。
【００２７】
この際、弾性部２８ａが押し潰されて変形したとき、該弾性部２８ａは半円形状であって環状に成形されていることから、その全体で外力を受け止めることになり、その弾発力に優れ耐用年数も長い。よって、例えば透明板保持枠４を閉めたとき、該透明板保持枠４にガタが有ったとしても、内側ガイドレール１１と透明板保持枠４に装着される透明板（内側の透明板）との間の隙間をしっかりと塞ぎ、ピアノ線等の不正具の侵入を確実に阻止する。
【００２８】
また、透明板保持枠４を開けたときは、図９に示すように弾性部３６ａがその押圧力から開放され、その弾力性により元の状態に復元する。
【００２９】
このように本発明にあっては、内側ガイドレール１１の前端面にその長手方向に沿って収納溝３４を設け、該収納溝３４内に透明板保持枠４を閉めた際に該透明板保持枠４に装着された透明板２０の後面２０ａに圧接して弾性変形する封止部材３５を嵌合してなるので、従来のように封止部材３５を取り付けるために専用のレール飾りを設ける必要性がなく、取付作業の簡素化が図られる。また、封止部材３５の弾性部はその断面形状が半円形状をなすことから、透明板保持枠４を閉めたときぐらつくことなく安定するばかりか、その透明板２０の後面２０ａに接触する密着面積が広くなり、透明板２０の後面２０ａとの隙間が完全に塞がれることになり、確実に不正防止が図られる。
【００３０】
また、封止部材３５は、取付部３６ｂが逆Ｔ字状に成形され、該取付部３６ｂを収納溝３４内の押え片３１と受止板３２との間の空間３３に挿通し、透明板保持枠４が閉まって弾性部３６ａが弾性変形することにより受けた力を受止板３２によって受け止めるようにしているので、封止部材３５が前後方向にほとんど動かず、極めて安定し、弾性部３６ａの透明板２０の後面２０ａに対する密着性も高められ、不正防止効果が向上する。
【００３１】
また、本発明にあっては、封止部材３５の弾性部３６ａを中空状に成形したが、同じ弾力性が得られれば中実状に成形するようにしても良い。弾性部３６ａの断面形状は半円形状に限らず、山形状であれば他の形状であっても良い。
【図面の簡単な説明】
【００３２】
【図１】本発明に係るパチンコ遊技機の正面図。
【図２】同透明板保持枠を開いた状態の斜視図。
【図３】同防犯部材を取り外して示す斜視図。
【図４】内枠の一部を拡大して示す斜視図。
【図５】防犯部材の一部拡大斜視図。
【図６】封止部材を取り外して示す遊技盤の斜視図。
【図７】内側ガイドレールの一部の拡大斜視図。
【図８】透明板保持枠を閉めた状態のパチンコ遊技機の平面断面図。
【図９】透明板保持枠を開けた状態のパチンコ遊技機に平面断面図。
【符号の説明】
【００３３】
２                      遊技盤
３                      内枠
３ａ                    前面
４                      透明板保持枠
１１                    内側ガイドレール
２０                    透明板
２０ａ                  後面
３１                    押え片
３２                    受止板
３３                    空間
３４                    収納溝
３５                    封止部材
３６ａ                  弾性部
３６ｂ                  取付部
Ｐ                      遊技機（パチンコ遊技機）
【図１】
2008068023.tif 000003
【図２】
2008068023.tif 000004
【図３】
2008068023.tif 000005
【図４】
2008068023.tif 000006
【図５】
2008068023.tif 000007
【図６】
2008068023.tif 000008
【図７】
2008068023.tif 000009
【図８】
2008068023.tif 000010
【図９】
2008068023.tif 000011